(57)【要約】【課題】中間部材を安定した姿勢で光学箱と光学部品との間に配置して、接着剤により光学部品を十分な接着強度で光学箱に固定する。【解決手段】光走査装置は、光ビームを出射する光源と、光ビームを主走査方向Ｚに偏向する偏向手段と、偏向手段により偏向された光ビームを感光体へ導く光学部品４０７と、光源、偏向手段及び光学部品４０７が配置された光学箱４０１と、光学部品を光学箱に固定するために光学部品の両端部４０７ｃ、４０７ｄをそれぞれ支持する支持部材４２０、４２１と、光学部品の振動を抑制するために支持部材の間で光学部品と光学箱とに接触する、光学箱とは別体の中間部材４１９と、を有し、光学部品の光軸Ｘ及び主走査方向Ｚに垂直な方向Ｙに視たときに、中間部材４１９の重心Ｇは、光学部品に重なっており、光学部品は、中間部材を介して接着剤により光学箱に固定されている。【選択図】図１
2015064535.tif 000002
【特許請求の範囲】
【請求項１】
光走査装置であって、
光ビームを出射する光源と、
前記光ビームを主走査方向に偏向する偏向手段と、
前記偏向手段により偏向された前記光ビームを感光体へ導く光学部品と、
前記光源、前記偏向手段、及び前記光学部品が配置された光学箱と、
前記光学部品を前記光学箱に固定するために前記光学部品の両端部をそれぞれ支持する支持部材と、
前記光学部品の振動を抑制するために前記支持部材の間で前記光学部品と前記光学箱とに接触する、前記光学箱とは別体の中間部材と、
を有し、
前記光学部品の光軸及び前記主走査方向に垂直な方向に視たときに、前記中間部材の重心は、前記光学部品に重なっており、
前記光学部品は、前記中間部材を介して接着剤により前記光学箱に固定されていることを特徴とする光走査装置。
【請求項２】
前記光源から前記光ビームを出射する前記光走査装置の使用状態において、前記中間部材は、前記光学部品の上に配置されていることを特徴とする請求項１に記載の光走査装置。
【請求項３】
前記使用状態において、前記中間部材が接着される前記光学箱の面は、前記光学部品の上方に配置されていることを特徴とする請求項２に記載の光走査装置。
【請求項４】
前記主走査方向に垂直な副走査方向に前記光学部品の位置を調整する場合に、前記中間部材は、前記光学部品の前記位置に従って移動させられ、
前記光学部品の前記位置の調整後に、前記副走査方向に視たときに、前記中間部材の前記重心は、前記光学部品に重なっていることを特徴とする請求項１乃至３のいずれか一項に記載の光走査装置。
【請求項５】
前記光学箱は、前記光学部品の前記位置に従って移動させられる前記中間部材を案内する案内部を有することを特徴とする請求項４に記載の光走査装置。
【請求項６】
前記光学箱は、前記中間部材を前記光学箱へ組み込むときの前記光学箱に対する前記中間部材の初期位置を定める位置決め手段を有することを特徴とする請求項１乃至５のいずれか一項に記載の光走査装置。
【請求項７】
前記光軸及び前記主走査方向に垂直な前記方向に視たときに、前記位置決め手段は、前記光学部品に重なっていることを特徴とする請求項６に記載の光走査装置。
【請求項８】
前記中間部材は、前記光軸及び前記主走査方向に垂直な前記方向に前記光学箱へ向かって突出する突出部と、前記光学部品に前記接着剤で固定される平面と、前記光学箱に前記接着剤で固定される傾斜面とを有することを特徴とする請求項１乃至７のいずれか一項に記載の光走査装置。
【請求項９】
記録媒体に画像を形成する画像形成装置であって、
感光体と、
前記感光体に静電潜像を形成するために光ビームを出射する請求項１乃至８のいずれか一項に記載の光走査装置と、
を有することを特徴とする画像形成装置。
【発明の詳細な説明】
【技術分野】
【０００１】
本発明は、光走査装置、及び光走査装置を有する画像形成装置に関する。
【背景技術】
【０００２】
電子写真画像形成装置は、電子写真画像形成プロセスを用いて、記録媒体に画像を形成する。電子写真画像形成装置としては、例えば、電子写真複写機（例えば、デジタル複写機）、電子写真プリンタ（例えばカラーレーザビームプリンタ、カラーＬＥＤプリンタ等）、ＭＦＰ（複合機）、ファクシミリ装置、及びワードプロセッサがある。電子写真画像形成装置（以下、画像形成装置という。）は、モノクロ画像を形成する画像形成装置に限らず、カラー画像形成装置も含む。
【０００３】
画像形成装置は、通常、光走査装置を有する。光走査装置は、画像情報に従って明滅する光ビームで感光体上を走査して感光体上に静電潜像を形成する。光走査装置において、光源としての半導体レーザは、光ビームを出射する。光ビームは、コリメータレンズにより略平行な光ビームに変換される。光ビームは、偏向装置としての回転する回転多面鏡により主走査方向に偏向される。光ビームは、その後、レンズやミラーなどの結像光学部品により、感光体上に、移動するスポットとして結像され、主走査方向に直線状に繰り返し走査される。副走査方向への静電潜像の形成は、主走査方向への走査毎に、感光体を副走査方向に移動（回転）させることによって達成される。
【０００４】
尚、以下の説明において、主走査方向は、偏向装置の回転軸（または揺動軸）及び各結像光学部品の光軸に垂直な方向（偏向装置により光ビームが偏向（走査）される方向）である。主走査方向は、光源から偏向装置までの入射光学部品と偏向装置から感光体までの結像光学部品とにおいて、光軸の方向が異なる。副走査方向は、各結像光学部品の光軸及び主走査方向に垂直な方向（偏向装置の回転軸（または揺動軸）に平行な方向）である。主走査断面は、結像光学部品の光軸と主走査方向とを含む平面である。副走査断面は、結像光学部品の光軸を含み主走査断面に垂直な断面である。
【０００５】
光走査装置内に配置されたレンズは、総じて主走査方向（感光ドラムの軸方向）に長い短冊形状である。レンズは、その両端部がバネにより支持されることが多い。その場合、レンズの中央部分は、自由支持状態となる。
【０００６】
そのため、画像形成装置本体が発生する振動や衝撃などの外的要因、更には、回転多面鏡の回転などの光走査装置それ自体が発する振動の影響を受けて、自由支持のレンズ中央部付近を腹とする１次モードの振動が発生し易くなる。
特に、レンズの固有振動数に近い周波数の振動を発生する振動源があると、共振によりレンズが大きく振動する。このような振動がレンズに発生すると、振動するレンズにより反射された光ビームの方向が大きく乱れて感光ドラム上の正しい位置を走査できなくなる。そのため、形成される画像が乱れて画像品質が著しく劣化してしまう。
【０００７】
このようなレンズの振動による画像劣化を解決するために、両端部が固定されたレンズの中央部を光学箱に接着剤により固定することが提案されている。しかし、固定前にレンズの位置を調整したときに、レンズと光学箱との間に大きな隙間が空いてしまう場合がある。大きな隙間に接着剤を充填しても、接着剤が十分に硬化しきれないために、レンズの振動を抑えることができないという問題がある。また、多量の接着剤を充填すると、レンズの光線通過面に接着剤が流れ込んでしまうという問題もある。
【０００８】
そこで、光学部品としてのレンズと光学箱との間に中間部材を配置し、中間部材を介して光学部品と光学箱を接着剤により固定する光走査装置がある（特許文献１）。
【先行技術文献】
【特許文献】
【０００９】
【特許文献１】特開２０１２−０９３４７４号公報
【発明の概要】
【発明が解決しようとする課題】
【００１０】
ところで、近年の光走査装置においては、小型化及び省スペース化のために、反射ミラーを用いて、光走査装置内で必要な光路長を得ている。そのため、限られた空間内に多数の光学部品が配置されている。
【００１１】
レンズを光学箱に取り付けた後に中間部材を光学箱とレンズとの間に組み付けようとすると、レンズ又はレンズの近くに配置されている反射ミラーに中間部材が接触して、これらを傷付けることがある。
【００１２】
レンズや反射ミラーに傷をつけることを防止するために、レンズを光学箱に取り付ける前に先に中間部材を光学箱内に置くことがある。中間部材は、位置調整のために移動するレンズに干渉しない位置に退避させておく。その後、レンズを光学箱に取り付け、中間部材を光学箱とレンズとの間に置く。
【００１３】
しかし、中間部材を光学箱内に置いた後でレンズの位置調整のために光学箱の上下を逆さにすることがある。レンズの位置調整は、画像形成時の光走査装置の姿勢で行う必要があるからである。例えば、回転多面鏡の回転状態（回転ムラ）は、光走査装置の上下を逆さにすることにより異なる。回転多面鏡の回転状態の変化は、回転多面鏡により反射される光ビームの光路に変化を生じさせる。これは、画像劣化に繋がる。そのため、レンズの位置調整を行う際、光走査装置を画像形成時と同じ姿勢にする。
【００１４】
光学箱の上下を逆さにすると、予め光学箱内に置かれている中間部材が光学箱とレンズとの間から脱落してしまうことがある。中間部材が光学箱から脱落しなかったとしても、中間部材が光学箱とレンズとの間で傾いた状態で接着されてしまい、振動対策としては不十分となることもある。
【００１５】
そこで、本発明は、中間部材を安定した姿勢で光学箱と光学部品との間に配置して、接着剤により光学部品を十分な接着強度で光学箱に固定することができる光走査装置を提供する。
【課題を解決するための手段】
【００１６】
本発明による光走査装置は、
光ビームを出射する光源と、
前記光ビームを主走査方向に偏向する偏向手段と、
前記偏向手段により偏向された前記光ビームを感光体へ導く光学部品と、
前記光源、前記偏向手段、及び前記光学部品が配置された光学箱と、
前記光学部品を前記光学箱に固定するために前記光学部品の両端部をそれぞれ支持する支持部材と、
前記光学部品の振動を抑制するために前記支持部材の間で前記光学部品と前記光学箱とに接触する、前記光学箱とは別体の中間部材と、
を有し、
前記光学部品の光軸及び前記主走査方向に垂直な方向に視たときに、前記中間部材の重心は、前記光学部品に重なっており、
前記光学部品は、前記中間部材を介して接着剤により前記光学箱に固定されていることを特徴とする。
【発明の効果】
【００１７】
本発明によれば、中間部材を安定した姿勢で光学箱と光学部品との間に配置して、接着剤により光学部品を十分な接着強度で光学箱に固定することができる。
【図面の簡単な説明】
【００１８】
【図１】中間部材及び第２のｆθレンズを光学箱に組み込む様子を示す斜視図。
【図２】中間部材及び第２のｆθレンズの初期位置を示す断面図。
【図３】光学箱の上下を逆さにしたときの中間部材及び第２のｆθレンズの断面図。
【図４】第２のｆθレンズが最も下の位置に調整された際の中間部材を示す副走査断面図。
【図５】錘が設けられていない中間部材の比較例を示す副走査断面図。
【図６】光学箱及び第２のｆθレンズに当接する中間部材を示す副走査断面図。
【図７】中間部材の各パラメータを説明するための副走査断面図。
【図８】実施例２による中間部材を示す副走査断面図。
【図９】光走査装置を示す図。
【図１０】画像形成装置の断面図。
【発明を実施するための形態】
【００１９】
以下、図面を用いて本発明による実施例を説明する。
【実施例１】
【００２０】
（画像形成装置）
図１０は、画像形成装置１００の断面図である。図１０に示す画像形成装置１００は、複数色のトナーを用いてカラー画像を形成するデジタルフルカラープリンターである。しかし、本発明は、カラー画像を形成する画像形成装置１００に限られるものではなく、単色のトナー（例えば、ブラック）のみでモノクロ画像を形成する画像形成装置に適用してもよい。
【００２１】
まず、図１０を用いて本実施例の画像形成装置１００を説明する。画像形成装置１００には、色別に画像を形成する４つの画像形成部（画像形成手段）１０１（１０１Ｙ、１０１Ｍ、１０１Ｃ、１０１Ｂｋ）が備えられている。ここでのＹ、Ｍ、Ｃ、Ｂｋは、それぞれイエロー、マゼンタ、シアン、ブラックを表している。画像形成部１０１Ｙ、１０１Ｍ、１０１Ｃ、１０１Ｂｋは、それぞれ、イエロー、マゼンタ、シアン、ブラックのトナーを用いて画像を形成する。
【００２２】
画像形成部１０１Ｙ、１０１Ｍ、１０１Ｃ、１０１Ｂｋには、像担持体としての感光ドラム（感光体）１０２（１０２Ｙ、１０２Ｍ、１０２Ｃ、１０２Ｂｋ）がそれぞれ備えられている。感光ドラム１０２Ｙ、１０２Ｍ、１０２Ｃ、１０２Ｂｋの周りには、帯電装置１０３Ｙ、１０３Ｍ、１０３Ｃ、１０３Ｂｋ、光走査装置４００Ｙ、４００Ｍ、４００Ｃ、４００Ｂｋ、現像装置１０５Ｙ、１０５Ｍ、１０５Ｃ、１０５Ｂｋがそれぞれ設けられている。また、感光ドラム１０２Ｙ、１０２Ｍ、１０２Ｃ、１０２Ｂｋの周りには、ドラムクリーニング装置１０６Ｙ、１０６Ｍ、１０６Ｃ、１０６Ｂｋが配置されている。
【００２３】
感光ドラム１０２Ｙ、１０２Ｍ、１０２Ｃ、１０２Ｂｋの下方には、無端ベルト状の中間転写ベルト（中間転写体）１０７が配置されている。中間転写ベルト１０７は、駆動ローラ１０８と従動ローラ１０９及び１１０とに張架され、画像形成中に図１０の矢印Ｃで示す方向に回転する。また、中間転写ベルト１０７を介して、感光ドラム１０２Ｙ、１０２Ｍ、１０２Ｃ、１０２Ｂｋに対向する位置に、一次転写装置１１１Ｙ、１１１Ｍ、１１１Ｃ、１１１Ｂｋが設けられている。
また、本実施例の画像形成装置１００は、中間転写ベルト１０７上のトナー像を記録媒体Ｐに転写するための二次転写装置１１２、記録媒体Ｐ上のトナー像を定着するための定着装置１１３を備える。
【００２４】
（画像形成プロセス）
画像形成装置１００の画像形成プロセスのうち、まず、帯電工程から現像工程までを説明する。それぞれの画像形成部１０１Ｙ、１０１Ｍ、１０１Ｃ、１０１Ｂｋにおける帯電工程から現像工程は、同じである。ここでは、画像形成部１０１Ｙにおける帯電工程から現像工程を説明し、画像形成部１０１Ｍ、１０１Ｃ、１０１Ｂｋにおける帯電工程から現像工程の説明を省略する。
【００２５】
画像形成部１０１Ｙにおいて、帯電装置１０３Ｙは、回転する感光ドラム１０２Ｙの表面を均一に帯電する。均一に帯電された感光ドラム１０２Ｙの表面は、光走査装置４００Ｙから出射される光ビームによって露光される。これによって、回転する感光ドラム１０２Ｙの上に静電潜像が形成される。静電潜像は、現像装置１０５Ｙによりイエロートナーでトナー像に現像される。
【００２６】
次に、画像形成装置１００の画像形成プロセスのうち、転写工程以降を説明する。一次転写装置１１１Ｙ、１１１Ｍ、１１１Ｃ、１１１Ｂｋに転写バイアスを印加することによって、感光ドラム１０２Ｙ、１０２Ｍ、１０２Ｃ、１０２Ｂｋ上のイエロー、マゼンタ、シアン、ブラックのトナー像は、中間転写ベルト１０７の上に一次転写される。４色のトナー像は、中間転写ベルト１０７上に重ね合わされる。
【００２７】
中間転写ベルト１０７上に重ね合わされた４色のトナー像は、手差し給送カセット１１４又は給紙カセット１１５から二次転写部Ｔ２へ搬送されてきた記録媒体Ｐの上に、二次転写装置１１２により二次転写される。そして、記録媒体Ｐ上のトナー像は、定着装置１１３により加熱及び加圧されて記録媒体Ｐに定着され、記録媒体Ｐ上にフルカラー画像が形成される。フルカラー画像が形成された記録媒体Ｐは、排出部１１６へ排出される。
【００２８】
なお、一次転写後にそれぞれの感光ドラム１０２Ｙ、１０２Ｍ、１０２Ｃ、１０２Ｂｋの上に残留したトナーは、ドラムクリーニング装置１０６Ｙ、１０６Ｍ、１０６Ｃ、１０６Ｂｋによって除去される。
連続画像形成の場合、上記の画像形成プロセスが繰り返される。
【００２９】
（光走査装置）
次に、図９及び図１０を用いて光走査装置４００（４００Ｙ、４００Ｍ、４００Ｃ、４００Ｂｋ）を説明する。画像形成装置１００は、図９に示す光走査装置４００を４つ装着している。４つの光走査装置４００Ｙ、４００Ｍ、４００Ｃ、４００Ｂｋのそれぞれの構造は、同じであるので、以下の説明において、色を示す添え字Ｙ、Ｍ、Ｃ、Ｂｋを省略する。なお、本実施例においては、４つの光走査装置４００を使用しているが、４つの感光ドラム１０２を走査する４つの光ビームを出射する一つの光走査装置にも本発明を適用することができる。
【００３０】
図９は、光走査装置４００を示す図である。図９（ａ）は、光走査装置４００の斜視図である。図９（ｂ）は、光走査装置４００の上面図である。図９（ｃ）は、図９（ｂ）のIXＣ−IXＣ線に沿って取った断面図である。図９（ｄ）は、光走査装置４００の主要な光学部品の構成を示した斜視図である。図９（ｅ）は、上下が逆になっている状態における光走査装置４００の斜視図である。
【００３１】
光走査装置４００は、光学箱４０１を有する。光学箱４０１には、以下に説明する各種光学部品が配置されている。光学箱４０１は、上下に開放した形状である。光学箱４０１の上開口４０１ｄは、上蓋４１７（図９（ｃ））により閉じられる。光学箱４０１の下開口４０１ｅは、下蓋４１８（図９（ｃ））により閉じられる。光学箱４０１は、上蓋４１７と下蓋４１８が取り付けられることで内部が密閉される。
【００３２】
光学箱４０１には、光ビーム（レーザ光）を出射する光源ユニット２００が取り付けられている。光源ユニット２００は、光源としての半導体レーザ２０２を有する。
【００３３】
光学箱４０１の内部には、光ビームが感光ドラム１０２上を主走査方向Ｚ（図９（ｂ））に走査するように光源ユニット２００から出射された光ビームを偏向する偏向装置（偏向手段）としての回転多面鏡４０２が備えられている。回転多面鏡４０２は、図９（ｃ）に示すモータ４０３によって回転される。
【００３４】
回転多面鏡４０２によって偏向された光ビームは、第１のｆθレンズ４０４に入射する。図９（ｃ）及び図９（ｄ）に示すように、第１のｆθレンズ４０４を通過した光ビームは、反射ミラー４０５、反射ミラー４０６によって反射され、第２のｆθレンズ４０７に入射する。第２のｆθレンズ４０７を通過した光ビームは、反射ミラー４０８によって反射され、防塵ガラス４０９を通過して感光ドラム１０２上へ導かれる。回転多面鏡４０２によって等角速度で走査される光ビームは、第１のｆθレンズ４０４と第２のｆθレンズ４０７により感光ドラム１０２上に結像し、かつ感光ドラム１０２上を等速度で走査する。
【００３５】
第１のｆθレンズ４０４、反射ミラー４０５、反射ミラー４０６、第２のｆθレンズ４０７、及び反射ミラー４０８のそれぞれは、回転多面鏡４０２によって偏向された光ビームを感光ドラム１０２へ導く光学部品である。
【００３６】
第２のｆθレンズ４０７の長手方向の両端部４０７ｃ及び４０７ｄに、付勢バネ（弾性支持部材）４２０及び４２１がそれぞれ設けられている。二つの付勢バネ４２０及び４２１は、第２のｆθレンズ４０７の長手方向の両端部４０７ｃ及び４０７ｄを光軸方向Ｘに付勢する。第２のｆθレンズ４０７は、付勢バネ４２０及び４２１の付勢力により光学箱４０１に保持されている。
【００３７】
付勢バネ４２０及び４２１の付勢力は、第２のｆθレンズ４０７の自重により光学箱４０１に対する第２のｆθレンズ４０７の位置がずれることがないように設定されている。
【００３８】
（中間部材）
以下、中間部材４１９を説明する。中間部材４１９は、第２のｆθレンズ４０７の両端部４０７ｃ及び４０７ｄをそれぞれ支持する付勢バネ４２０及び４２１の支持位置の間で光学箱４０１と第２のｆθレンズ４０７とに接触するように配置されている。それによって、中間部材４１９は、両端部４０７ｃ及び４０７ｄを付勢バネ４２０及び４２１により光学箱４０１に固定された第２のｆθレンズ４０７の振動を抑制する。
図９（ｅ）は、光学箱４０１の下開口４０１ｅを上向きにして置かれた光走査装置４００の斜視図である。
【００３９】
図１は、中間部材４１９及び第２のｆθレンズ４０７を光学箱４０１に組み込む様子を示す斜視図である。図１（ａ）は、中間部材４１９の近傍を拡大した拡大斜視図である。図１（ｂ）は、光学箱４０１の下開口４０１ｅを上向きにして置かれた光走査装置４００の斜視図である。
【００４０】
中間部材４１９は、光学箱４０１とは別体として形成されている。中間部材４１９及び第２のｆθレンズ４０７は、下開口４０１ｅを上向きにした状態で、下開口４０１ｅから光学箱４０１の中に組み付けられる。光走査装置４００の下面に配置されている第２のｆθレンズ４０７の位置を調整した後に、第２のｆθレンズ４０７の主走査方向Ｚにおける中央部を、中間部材４１９を介して光学箱４０１に接着剤で固定する。
【００４１】
光学箱４０１は、中間部材４１９が取り付けられる取付部４０１ｍが形成されている。光学箱４０１の取付部４０１ｍは、中間部材４１９が接着される接着面としての傾斜面４０１ａと、中間部材４１９を初期位置に規制する当接面４０１ｃが設けられている。また、取付部４０１ｍの傾斜面４０１ａには、リブ（突部）４０１ｒが設けられている。傾斜面４０１ａは、第２のｆθレンズ４０７の光軸Ｘに対して傾斜している。当接面４０１ｃは、光軸Ｘに対して垂直である。リブ４０１ｒは、光軸Ｘに平行に延在している。
【００４２】
中間部材４１９は、光学箱４０１の傾斜面４０１ａに接着剤により固定される傾斜面（第一接着面）４１９ａを有する。傾斜面４１９ａは、副走査方向Ｙにおける第２のｆθレンズ４０７の位置を調整するときに、光学箱４０１の傾斜面４０１ａと第２のｆθレンズ４０７の上面４０７ｂとの間の隙間を中間部材４１９により埋められるような角度で傾斜している。副走査方向Ｙは、光軸Ｘ及び主走査方向Ｚに垂直な方向である。
【００４３】
中間部材４１９は、第２のｆθレンズ４０７の上面４０７ｂに接着剤により固定される平面（第二接着面）４１９ｂを有する。また、中間部材４１９は、凹部４１９ｒが設けられている。中間部材４１９の凹部４１９ｒは、光学箱４０１のリブ４０１ｒに係合する。リブ４０１ｒは、副走査方向Ｙにおける第２のｆθレンズ４０７の位置に従って移動させられる中間部材４１９を光軸Ｘに沿って案内する案内部として作用する。凹部４１９ｒとリブ４０１ｒとの係合により、中間部材４１９は、主走査方向Ｚへの移動が規制されて光軸Ｘに沿う方向（以下、光軸方向Ｘという。）に移動可能である。
【００４４】
中間部材４１９は、中間部材４１９を光学箱４０１に組み込むときに中間部材４１９の位置を規制する規制面４１９ｃを有する。光学箱４０１には、規制面４１９ｃに対向する当接面４０１ｃが形成されている。規制面４１９ｃが当接面４０１ｃに当接した位置が、中間部材４１９の初期位置である。当接面４０１ｃは、中間部材４１９を光学箱４０１へ組み込むときの光学箱４０１に対する中間部材４１９の初期位置を定める位置決め手段である。
【００４５】
中間部材４１９は、中間部材４１９の重心Ｇ（図２（ｃ））の位置を調整するための錘４１９ｄを有する。錘４１９ｄは、光軸Ｘ及び主走査方向Ｚに垂直な副走査方向Ｙに光学箱４０１へ向かって突出する突出部である。錘４１９ｄは、副走査断面において中間部材４１９が全体的に鉤形（先端部が直角に曲がった形）となるように、光軸方向Ｘにおいて規制面４１９ｃの反対側に設けられている。錘４１９ｄの機能に関しては後述する。
【００４６】
中間部材４１９は、紫外線透過性の樹脂で形成されている。紫外線透過性の樹脂としては、例えば、ポリサルホンやアクリルが挙げられる。中間部材４１９は、紫外線硬化型の接着剤により光学箱４０１及び第２のｆθレンズ４０７に接着される。接着剤は、中間部材４１９を光学箱４０１に組み込む前に中間部材４１９に塗布される。
【００４７】
図２は、中間部材４１９及び第２のｆθレンズ４０７の初期位置を示す断面図である。図２（ａ）は、初期位置における中間部材４１９の副走査断面図である。図２（ｂ）は、主走査方向Ｚにおける第２のｆθレンズ４０７の端部の断面図である。図２（ｃ）は、主走査方向Ｚにおける第２のｆθレンズ４０７の中央部の副走査断面図である。
【００４８】
図２は、中間部材４１９及び第２のｆθレンズ４０７を光学箱４０１に組み込んだ初期状態における光学箱４０１、中間部材４１９及び第２のｆθレンズ４０７の副走査方向Ｙにおける位置関係を示している。
【００４９】
図２（ａ）に示すように、中間部材４１９を光学箱４０１に組み込む際に、中間部材４１９の規制面４１９ｃが当接面４０１ｃに当接した状態が、中間部材４１９の初期位置である。
【００５０】
図２（ｂ）に示すように、第２のｆθレンズ４０７の主走査方向端部に設けられた突起４０７ｆが光学箱４０１の当接部４０１ｆに当接した状態が、第２のｆθレンズ４０７の初期位置である。
【００５１】
図２（ｃ）は、初期位置の状態における光学箱４０１、第２のｆθレンズ４０７及び中間部材４１９の副走査方向Ｙにおける位置関係を示している。初期位置の状態において、第２のｆθレンズ４０７と中間部材４１９との間には隙間Ｓが空いている。第２のｆθレンズ４０７の副走査方向Ｙの位置を調整するときに中間部材４１９が第２のｆθレンズ４０７に接触すると、第２のｆθレンズ４０７にストレスが掛かってしまい、調整がスムースに行えない。そのため、初期位置の状態において、第２のｆθレンズ４０７と中間部材４１９との間に隙間Ｓを設けている。すなわち、第２のｆθレンズ４０７の位置調整時に第２のｆθレンズ４０７に干渉しない位置へ中間部材４１９を退避させた状態で、中間部材４１９は、光学箱４０１に組み込まれている。
【００５２】
中間部材４１９及び第２のｆθレンズ４０７を光学箱４０１へ組み込むとき、光走査装置４００は、光学箱４０１の下開口４０１ｅを上向きにして置かれている。しかし、半導体レーザ２０２から光ビームを出射する光走査装置４００の使用状態（画像形成時）において、光走査装置４００は、光学箱４０１の下開口４０１ｅを下向きにして固定される。光走査装置４００の上下を反転させた状態では、回転多面鏡４０２の回転状態（回転ムラ）が異なる。回転多面鏡４０２の回転状態の変化は、回転多面鏡４０２により反射される光ビームの光路に変化を生じさせることを意味する。そのため。第２のｆθレンズ４０７の位置調整を行う際、画像形成時と同じ姿勢で回転多面鏡４０２を回転させる必要がある。
【００５３】
そこで、光学箱４０１の上下を逆さにして第２のｆθレンズ４０７の副走査方向Ｙにおける位置を調整する。
【００５４】
図３は、光学箱４０１の上下を逆さにしたときの中間部材４１９及び第２のｆθレンズ４０７の断面図である。図３（ａ）は、主走査方向Ｚ（図面に垂直な方向）における第２のｆθレンズ４０７の端部の断面図である。図３（ｂ）は、主走査方向Ｚにおける第２のｆθレンズ４０７の中央部の副走査断面図である。
【００５５】
第２のｆθレンズ４０７の副走査方向Ｙの位置を調整するために、光学箱４０１を、図２（ｂ）及び図２（ｃ）に示す光学箱４０１の下開口４０１ｅが上向きの状態から、図３（ａ）及び図３（ｂ）に示す光学箱４０１の下開口４０１ｅが下向きの状態にする。鉛直方向（副走査方向Ｙ）における光学箱４０１、中間部材４１９及び第２のｆθレンズ４０７の位置関係が逆転する。
【００５６】
図３（ａ）に示す状態において、第２のｆθレンズ４０７の両端部には、付勢バネ４２０及び４２１による付勢力が矢印Ｆで示す方向に作用しているので、第２のｆθレンズ４０７が自重４０７ｇにより落下することはない。従って、光学箱４０１の上下面を逆転させても、第２のｆθレンズ４０７の位置は変化しない。
【００５７】
これに対して、初期位置の状態において中間部材４１９と第２のｆθレンズ４０７との間に隙間Ｓが設けられているので、光学箱４０１の上下面を逆転させたときに、図３（ｂ）に示すように、中間部材４１９の位置は変化する。
【００５８】
このとき、図３（ｂ）に示すように、中間部材４１９の重心Ｇの位置は、光軸方向Ｘにおいて第２のｆθレンズ４０７の幅Ｌの外側にあるので、中間部材４１９には、第２のｆθレンズ４０７から脱落する方向に回転モーメントＮがかかる。しかし、中間部材４１９は、第２のｆθレンズ４０７の上面４０７ｂ、光学箱４０１の傾斜面４０１ａ及び光学箱４０１の当接面４０１ｃにより取り囲まれているので、第２のｆθレンズ４０７から脱落することはない。
【００５９】
この状態から、第２のｆθレンズ４０７の副走査方向Ｙの位置調整が開始される。第２のｆθレンズ４０７の位置調整は、半導体レーザ２０２から光ビームを発光させ且つ回転多面鏡４０２を回転させた状態で、行われる。第２のｆθレンズ４０７を通過する前後の光ビームを工具等で観察しながら、光ビームが所望の光路を通過するように、第２のｆθレンズ４０７の副走査方向Ｙの位置を調整する。第２のｆθレンズ４０７の副走査方向Ｙの位置調整は、第２のｆθレンズ４０７の両端部の上方から、図３（ａ）に矢印４０７ｐで示す鉛直下方にピン等で押していくことにより行われる。
【００６０】
図４は、第２のｆθレンズ４０７が最も下の位置に調整された際の中間部材４１９を示す副走査断面図である。図４（ａ）に示すように、中間部材４１９の重心Ｇの位置は、第２のｆθレンズ４０７の光軸方向Ｘの幅Ｌの外側に存在するので、中間部材４１９は、第２のｆθレンズ４０７から脱落する方向に傾く。しかし、中間部材４１９は、当接部４０１ｃにより光軸方向Ｘの左側への移動が規制されているので、光学箱４０１からの脱落が防止されている。
【００６１】
図４（ａ）、図４（ｂ）及び図４（ｃ）は、中間部材４１９の移動の様子している。第２のｆθレンズ４０７の位置調整が終わると、中間部材４１９の規制面４１９ｃを工具等で図４の矢印Ｈで示す水平方向（光軸方向Ｘ）に押して、図４（ａ）、図４（ｂ）及び図４（ｃ）で示すように中間部材４１９を左から右へ移動させる。
【００６２】
そして、図４（ｃ）に示すように、中間部材４１９の傾斜面４１９ａと光学箱４０１の傾斜面４０１ａとが当接したときに、中間部材４１９の移動を止める。中間部材４１９の傾斜面４１９ａは、光学箱４０１の傾斜面４０１ａに平面接触している。中間部材４１９の平面４１９ｂは、第２のｆθレンズ４０７の上面４０７ｂに平面接触している。この状態で中間部材４１９に紫外線を照射して、接着剤を硬化させる。なお、接着剤は、中間部材４１９を光学箱４０１に組み込む前に塗布されている。
【００６３】
上述の構成を採用することにより、中間部材４１９を、第２のｆθレンズ４０７の位置調整前に光学箱４０１に組み付けたとしても、中間部材４１９を、光学箱４０１から脱落させることなく光学箱４０１と第２のｆθレンズ４０７とに接着させることができる。
【００６４】
また、中間部材４１９の重心Ｇの位置は、中間部材４１９が第２のｆθレンズ４０７に接着された状態（図４（ｃ）に示す状態）においては、第２のｆθレンズ４０７の光軸方向Ｘの幅Ｌの内側に存在する。それによって、接着時に中間部材４１９が光学箱４０１や第２のｆθレンズ４０７に対して傾いて取り付けられることもない。したがって、中間部材４１９を光学箱４０１及び第２のｆθレンズ４０７に平面接触で接着させることが可能となり、安定した振動特性が得られる。
【００６５】
（錘）
ここで、本実施例の中間部材４１９に設けた錘４１９ｄについて説明する。錘４１９ｄの効果としては、脱落防止及び中間部材４１９の姿勢安定性が挙げられる。以下、錘が設けられていない中間部材５１９と比較して、本実施例の錘４１９ｄの効果を説明する。
まず、錘４１９ｄにより奏される中間部材４１９の脱落防止の効果を説明する。
【００６６】
図５は、錘が設けられていない中間部材５１９の比較例を示す副走査断面図である。図５（ａ）は、錘が設けられていない中間部材５１９の初期位置を示す副走査断面図である。図５（ｂ）は、第２のｆθレンズ４０７の位置調整を行うために、光学箱４０１の上下を逆さにしたときの中間部材５１９及び第２のｆθレンズ４０７を示す副走査断面図である。図５（ｃ）は、第２のｆθレンズ４０７が最も下の位置に調整された際の中間部材５１９を示す副走査断面図である。
【００６７】
図５（ａ）に示すように、光学箱４０１の下開口４０１ｅを上向きにして、中間部材５１９及び第２のｆθレンズ４０７を光学箱４０１へ組み込む。図２（ｃ）に示す錘４１９ｄが設けられた中間部材４１９の場合と同様に、図５（ａ）に示す初期位置の状態において、第２のｆθレンズ４０７と中間部材５１９との間には隙間Ｓが空いている。
【００６８】
第２のｆθレンズ４０７の副走査方向Ｙの位置を調整するために、光学箱４０１を、図５（ａ）に示す光学箱４０１の下開口４０１ｅが上向きの状態から、図５（ｂ）に示す光学箱４０１の下開口４０１ｅが下向きの状態にする。
錘が設けられていない中間部材５１９は、錘４１９ｄが設けられている中間部材４１９と同様に、初期状態から光学箱４０１の上下を逆さにしても、当接部４０１ｃにより光軸方向Ｘにおける左側への移動が規制されているので、光学箱４０１から脱落しない。
【００６９】
しかし、錘が設けられていない中間部材５１９の重心Ｇ１の位置は、錘４１９ｄが設けられている中間部材４１９の重心Ｇよりも、第２のｆθレンズ４０７から離れている。すなわち、第２のｆθレンズ４０７から中間部材５１９の重心Ｇ１までの距離Ｄ１（図５（ｂ））は、第２のｆθレンズ４０７から中間部材４１９の重心Ｇまでの距離Ｄ（図３（ｂ））よりも大きい（Ｄ１＞Ｄ）。そのため、錘が設けられていない中間部材５１９に作用する回転モーメントＮ１は、錘４１９ｄが設けられている中間部材４１９に作用する回転モーメントＮよりも大きい（Ｎ１＞Ｎ）。すなわち、図５（ｃ）に示すように、第２のｆθレンズ４０７に対する中間部材５１９の傾きは、図４（ａ）に示す中間部材４１９の傾きよりも大きい。よって、中間部材５１９や当接部４０１ｃの部品公差によっては、中間部材５１９が当接部４０１ｃの最下部から外れてしまい、落下する懸念がある。
【００７０】
この問題に対して、当接部４０１ｃの鉛直方向の高さを高くすることで対処することができる。しかし、当接部４０１ｃの高さが高すぎると、第２のｆθレンズ４０７の位置によっては、第２のｆθレンズ４０７を通過した光ビームを遮光してしまう懸念がある。加えて、中間部材５１９の規制面５１９ｃを工具により押すことも難しくなってくるため、中間部材５１９の規制面５１９ｃを押す際の作業性が低下する懸念もある。
【００７１】
上述より、錘４１９ｄを設けることにより重心Ｇの位置を第２のｆθレンズ４０７に近づけることが効果的であることが分かる。
【００７２】
次に、錘４１９ｄにより奏される中間部材４１９の姿勢安定性の効果を説明する。
図６は、光学箱４０１及び第２のｆθレンズ４０７に当接する中間部材４１９及び５１９を示す副走査断面図である。図６（ａ）は、錘４１９ｄが設けられた中間部材４１９を示す。図６（ｂ）は、錘が設けられていない中間部材５１９を示す。
【００７３】
副走査方向Ｙにおける第２のｆθレンズ４０７の位置調整が終了した後、中間部材４１９及び５１９をそれぞれ矢印Ｈで示す方向に移動して、光学箱４０１及び第２のｆθレンズ４０７に当接させる。
【００７４】
図６（ａ）に示す錘４１９ｄが設けられた中間部材４１９の場合、中間部材４１９が光学箱４０１及び第２のｆθレンズ４０７に当接した状態で、中間部材４１９の重心Ｇの位置は、光軸方向Ｘにおける第２のｆθレンズ４０７の幅Ｌの内にある。すなわち、第２のｆθレンズ４０７の光軸Ｘ及び主走査方向Ｚに垂直な副走査方向Ｙに視たときに、中間部材４１９の重心Ｇは、第２のｆθレンズ４０７に重なっている。よって、中間部材４１９に回転モーメントが発生しないため、中間部材４１９は、第２のｆθレンズ４０７に対して傾かない。それによって、光学箱４０１と中間部材４１９とを平面接触させ、且つ中間部材４１９と第２のｆθレンズ４０７とを平面接触させることができる。
【００７５】
一方、中間部材５１９の重心Ｇ１の位置は、図６（ｂ）に示すように錘が設けられていない中間部材５１９を光学箱４０１と第２のｆθレンズ４０７に当接させたときも、光軸方向Ｘにおける第２のｆθレンズ４０７の幅Ｌの外側にある。このような状態では、前述したように、中間部材５１９に回転モーメントＮ１が発生するので、中間部材５１９は、傾いてしまう。つまり、中間部材５１９は、光学箱４０１と第２のｆθレンズ４０７との間で傾いた状態で接着されてしまう恐れがある。中間部材５１９が傾くと、光学箱４０１と中間部材５１９とが点接触になり、且つ中間部材５１９と第２のｆθレンズ４０７とが点接触になる。点接触の状態で中間部材５１９が光学箱４０１及び第２のｆθレンズ４０７に接着剤で固定されても、振動対策としては不十分な場合がある。
【００７６】
点接触を回避するために、中間部材５１９への水平方向の押圧力を強くすることが考えられる。しかし、押圧力を強くすると、第２のｆθレンズ４０７にストレスが掛かってしまい、走査線の曲りが発生したり、調整後の値がずれてしまったり、といった問題が発生する。
【００７７】
上述より、中間部材４１９に錘４１９ｄを設けることにより、中間部材４１９の重心Ｇの位置を、第２のｆθレンズ４０７の幅内に配置させることが効果的であることが分かる。
【００７８】
ここで、図７を参照して、実施例１の成立条件を以下に示す。図７は、中間部材４１９の各パラメータを説明するための副走査断面図である。
【００７９】
図７（ａ）に示すように、初期状態における第２のｆθレンズ４０７の左上端部を基準点Ｏとする。
基準点Ｏから中間部材４１９の平面４１９ｂまでの隙間（距離）をＳとする。
【００８０】
光軸方向Ｘに対する光学箱４０１の傾斜面４０１ａの角度をαとする。すなわち、中間部材４１９の傾斜面４１９ａの光軸方向Ｘに対する角度は、αである。
光軸方向Ｘにおいて基準点Ｏから中間部材４１９の重心Ｇまでの距離をＬｇとする。
第２のｆθレンズ４０７の光軸方向Ｘの幅をＬとする。
【００８１】
図７（ｂ）に示すように、副走査方向（鉛直方向）Ｙにおける第２のｆθレンズ４０７の初期位置からの移動距離をＢとする。
図７（ｂ）に示すように、光軸方向（水平方向）Ｘにおける中間部材４１９の重心Ｇの初期位置からの移動距離をΔｇとする。
【００８２】
ここで、以下の関係が満たされる。
−Ｌｇ ＋ Δｇ ≦ Ｌ
Ｌｇ ≦ Ｓ／ｔａｎα
（Δｇ ＝（Ｓ＋Ｂ）／ｔａｎα）
上記関係を満足するように、中間部材４１９の各パラメータを設定する。
【００８３】
錘４１９ｄは、本実施例においては、中間部材４１９の全体形状が鉤形となるように設けられているが、これに限られない。錘４１９ｄは、上述の成立条件を満足できる形状であればよい。
【実施例２】
【００８４】
次に、実施例２を説明する。実施例２において、実施例１と同様の構造には、同様の参照符号を付して説明を省略する。実施例２の画像形成装置及び光走査装置は、実施例１の画像形成装置１００及び光走査装置４００と同様であるので、説明を省略する。
【００８５】
図８は、実施例２による中間部材６１９を示す副走査断面図である。図８（ａ）は、中間部材６１９及び第２のｆθレンズ４０７の初期状態を示す副走査断面図である。図８（ｂ）は、副走査方向Ｙの位置が調整された第２のｆθレンズ４０７と中間部材６１９を示す副走査断面図である。
【００８６】
中間部材６１９は、光学箱４０１の傾斜面４０１ａに接着剤で固定される傾斜面６１９ａと、第２のｆθレンズ４０７の上面４０７ｂに接着剤で固定される平面６１９ｂとを有する。実施例２の中間部材６１９には、錘が設けられていない。
【００８７】
実施例２において、光学箱４０１の当接部４０１ｃは、第２のｆθレンズ４０７の幅Ｌの内側に配置されている。すなわち、光軸方向Ｘ及び主走査方向Ｚに垂直な副走査方向Ｙに視たときに、当接部４０１ｃは、第２のｆθレンズ４０７に重なっている。
【００８８】
初期状態において、中間部材６１９の重心Ｇ２の位置が第２のｆθレンズ４０７の上に配置されているので、中間部材６１９に回転モーメントが発生しない。よって、中間部材６１９を、光学箱４０１及び第２のｆθレンズ４０７に平面接触させることができる。
【００８９】
なお、実施例２の成立条件を、以下に示す。
Ｌｇ ＋ Δｇ ≦ Ｌ
（Δｇ ＝（Ｓ＋Ｂ）／ｔａｎα）
上記関係を満足するように、中間部材６１９の各パラメータを設定すればよい。
実施例２の中間部材６１９は、実施例１の中間部材４１９と同様の効果を奏することができる。
【００９０】
光学部品として第２のｆθレンズ４０７を用いて実施例１及び実施例２を説明した。しかし、光学部品は、第２のｆθレンズ４０７に限定されるものではなく、光学箱４０１内に配置される第１のｆθレンズ４０４、反射ミラー４０５、４０６及び４０７又はその他の光学部品であってもよい。
【符号の説明】
【００９１】
２０２  半導体レーザ（光源）
４００  光走査装置
４０１  光学箱
４０２  回転多面鏡（偏向手段）
４０７  第２のｆθレンズ（光学部品）
４１９、６１９  中間部材
Ｇ、Ｇ２  重心
【図１】
2015064535.tif 000003
【図２】
2015064535.tif 000004
【図３】
2015064535.tif 000005
【図４】
2015064535.tif 000006
【図５】
2015064535.tif 000007
【図６】
2015064535.tif 000008
【図７】
2015064535.tif 000009
【図８】
2015064535.tif 000010
【図９】
2015064535.tif 000011
【図１０】
2015064535.tif 000012